(57)【要約】      （修正有）【課題】食器を手から落としてしまったような場合、あるいは液体をこぼしてしまったような場合でも、可及的にテーブルや床などを汚すことを防止可能なエプロンを提供する。【解決手段】少なくとも首に対する着脱部２１を有すると共に、下部裏面にポケット部２６を設け、当該ポケット部２６にシート部材３０と着脱自在となすための着脱手段を設けたエプロン本体２０と、エプロン本体２０下部において着脱自在となすための着脱手段をその上部に有すると共に、下端部表面同士を留め合わせることで縁部を立ち上げさせる留め具３３を下端部に有するシート部材とにより構成した。さらに、シート部材３０下端部に吸盤５０を取り付けた。【選択図】図６
0003180192.tif 000002
【実用新案登録請求の範囲】
【請求項１】
少なくとも首に対する着脱部２１を有すると共に、下部裏面にポケット部を設け、当該ポケット部にシート部材３０と着脱自在となすための着脱手段２４を設けたエプロン本体２０と、
エプロン本体２０下部において着脱自在となすための着脱手段３２をその上部に有すると共に、下端部表面同士を留め合わせることで縁部３１を立ち上げるさせる留め具３３を下端部に有するシート部材３０と、
により成るエプロン。
【請求項２】
シート部材３０端部に吸盤５０を取り付けた請求項１に記載のエプロン。
【考案の詳細な説明】
【技術分野】
【０００１】
本考案は、食事の際に装着する乳幼児あるいは高齢者用のエプロンに関する。
【背景技術】
【０００２】
乳幼児や介護が必要になり始めた高齢者などが食事をする際に、口から食物がこぼれて、着衣を汚すことがある。そのため、このような乳幼児や高齢者などの使用者が食事をする際には、食事用のエプロン等を装着させることがある。
【０００３】
このような使用者が食事の際に使用するエプロンは、食べこぼし防止用エプロンとして様々なものが知られている。例えばエプロンの下端部にポケットを形成し、このポケットで食べこぼした食物や液状物を受け止めるものや、エプロンの下端部を大きく形成して食卓上に配置し、食器を載置できる、所謂テーブルクロスとしての機能を兼ね備える形式のもの等が知られている。
【０００４】
特許文献１には腕を通した状態で装着するエプロンであって、エプロン本体のすそに折り返し部を設けると共に、この折り返し部の一部に食卓に係止するための係止部を設けたエプロンが開示されている。
【０００５】
特許文献２にはテーブル全面をカバーする大きさを有する長方形状のよだれ掛け兼用テーブルカバーが開示されている。
【０００６】
特許文献３には、下部に吸盤を取り付けたよだれ掛けが開示されている。
【先行技術文献】
【特許文献】
【０００７】
【特許文献１】特開２００５−２９８９８９号公報
【特許文献２】登録実用新案公報第３０６７７９１号
【特許文献３】登録実用新案公報第３０１３６６０号
【考案の概要】
【考案が解決しようとする課題】
【０００８】
上記エプロン本体の下端部にポケットを形成したポケット型のものは、食べこぼしを効率的に受け止めることが難しいという難点を有する。殊に食器を手から落としてしまったり、あるいは食べ物を口から吹いてしまった場合などには、ポケット外に食べ物が散乱することになりがちである。
【０００９】
エプロンの下端部を大きく形成した上記テーブルクロス型のものであれば、ポケット型のものに比し、より効率的に食べこぼしを受け止めることが可能である。ただ、液体物をこぼしてしまった場合には、エプロン下端部を伝ってテーブル下に落下し、床を汚してしまいがちである。
【００１０】
そこで本考案は、例えば食器を手から落としてしまったような場合、あるいは液体をこぼしてしまったような場合でも、可及的にテーブルや床などを汚すことを防止可能なエプロンを提供することを目的とする。
【課題を解決するための手段】
【００１１】
上記の目的を達成する本考案の構成は次の通りである。
【００１２】
（１）  請求項１記載のエプロンは、少なくとも首に対する着脱部を有すると共に、下部裏面にポケット部を設け、当該ポケット部にシート部材と着脱自在となすための着脱手段を設けたエプロン本体と、エプロン本体下部において着脱自在となすための着脱手段をその上部に有すると共に、下端部表面同士を留め合わせることで縁部を立ち上げさせる留め具を下端部に有するシート部材とにより構成した。
【００１３】
（２）  請求項２記載のエプロンは、請求項１に係るエプロンにおいて、シート部材下端部に吸盤を取り付けた。
【考案の効果】
【００１４】
以下、上記のように構成される本考案が、いかなる効果を奏するかを図面を参照しながら概説する。
【００１５】
図６は本考案の使用状態を示す説明図である。本考案に係るエプロン１０は、着脱部２１を使用者の首に巻きつけ使用するものである。
【００１６】
また、使用時にはエプロン本体２０の下部に設けたポケット部２６を、反転させて使用するものである。図７は反転させる過程を模式的に示した説明図である。図７ａに示すように、エプロン本体２０の裏面Ｂ側にあるポケット部２６を、図７ｂに示すように、その下端を持ち上げると共に上端を表面Ａ側に持って行き、図７ｃに示すように表面Ａ側に持っていくものである。係る過程を経ることで、図６に示すようにポケット部２６に膨らみをもたせ、食べこぼしを効率的に捕集することが可能となるのである。
【００１７】
更には、本考案においては、エプロン本体２０の下部にシート部材３０を取付けることで全体が長尺となり、しかもシート部材の下端部において、留め具３３を留めることで縁部３１が立ち上がるものである。かように長尺且つ縁部が立ち上がることから、シート部材３０がトレー状になり、液体をこぼしたり、あるいは口から食べ物を吹きだしたような場合でも、効率的にトレー状のシート部材で受け止めることが可能となるものである。
【００１８】
請求項２記載の考案においては、シート部材３０の下端部に吸盤５０が設けてある。この吸盤５０で、シート部材３０をテーブル等に固定することが可能となり、使用者の動作により、トレー状のシート部材３０により受け止められた食べこぼし等が散乱することを、可及的に防止することが可能となるのである。
【００１９】
更には、本考案に係るエプロンは、エプロン本体１０とシート部材３０が着脱自在に設けてあることから、エプロン本体１０のみ、つまり通常のエプロンとしての使用も可能である。
【００２０】
また、エプロン本体１０とシート部材３０とを別個にできることから、洗いやすさも増し、頻繁に洗濯を要するエプロンにおいて有用性が高まるものである。
【図面の簡単な説明】
【００２１】
【図１】エプロン本体の正面図
【図２】エプロン本体の背面図
【図３】Ａ−Ａ線断面図
【図４】シート部材の正面図
【図５】シート部材の背面図
【図６】使用状態を示す説明図
【図７】ポケット部の反転過程を模式的に示す説明図
【考案を実施するための形態】
【００２２】
以下、本考案の実施形態について図面を用いて説明する。なお、本考案の実施の形態は、下記の実施形態に何ら限定されることはなく、本考案の技術的範囲に属する限り種々の形態を採りうる。
【００２３】
以下の記載において、表面とは使用者がエプロン１０を装着した際に、飲食物等を主に受け止める側であり、外側である。裏面とは使用者が装着した際の使用者側、内側である。
【００２４】
エプロン本体２０は、装着されることで、使用者の身体の前面の必要とされる範囲を覆うことができ、食事中の食べこぼしにより着衣が汚れないようにするためのものである。
【００２５】
かように衣服が汚れることを防止する必要性から、エプロン本体２０は防水材料もしくは撥水材料で形成することが好ましい。特に、吸水性と速乾性を兼ね備え、軽いものが好ましく、具体的な材質としては、ポリエステルやナイロン、綿ポリノジック、レーヨン等の生地に、防水または撥水加工を施した生地や防水フィルム層をラミネートした生地等が使用できる。
【００２６】
このエプロン本２０上部のほぼ中央位置には、図１，図２に示すように、幼児の首部に巻き付けて簡易に装着しやすいようにするための円弧形舌片状の着脱部２１，２１が一対設けられている。
【００２７】
この着脱部２１，２１のうち、その一方の着脱部２１には雄型ホック２２が、他方の着脱部２１には雌型ホック２３が配設してある。
【００２８】
図６に示すように使用者の首の周りにこの着脱部２１を巻回し、その先端部分を重ねて着脱部２１を閉じるようにして幼児の首に巻き付け、雄型ホック２２を雌型ホック２３に嵌合することで使用者の胸前に添って装着できるようにする。
【００２９】
なお、着脱部２１を固定するための部材は上述のものに限定を受けるものではなく、対をなす雄型スナップと雌型スナップでも代用可能である。あるいは面状ファスナでも代用可能である。
【００３０】
エプロン本体２０の下部裏面には、図２に示すようにポケット部２６が設けられている。ポケット部２６はエプロン本体２０の下部を二重の生地で形成し、両側面及び底部を縫着その他の方法で閉じ、上部を開放して作成するものである。
【００３１】
ポケット部２６には、着脱手段２４が複数設けられている。この着脱手段２４は、シート部材３０の上部裏面に設けられた着脱手段３２と係合あるいは嵌合等することで、エプロン本体２０とシート部材３０とを着脱自在になすものである。
【００３２】
着脱手段２４は、図３に示すようにエプロン本体２０の下部を二重の生地で形成したポケット部２６の裏面にくる生地２５に設けられている。
【００３３】
着脱手段２４、着脱手段３２は互いに嵌合可能な雄型ホックと雌型ホックを用いているが、むろん係る限定を受けるものではなく、面状ファスナや対をなす雄型スナップ・雌型スナップ等でも代用可能である。
【００３４】
シート部材３０は図４，図５に示されるように略方形のシート材であり、具体的な材質としては、ポリエステルやナイロン、綿ポリノジック、レーヨン等の生地に、防水または撥水加工を施した生地や防水フィルム層をラミネートした生地等が使用できる。
【００３５】
図５に示すように、シート部材３０の上部裏面に着脱手段３２が設けられていることは、上述のとおりである。なお、裏面に設けるとは、着脱手段３２の嵌合面や接着面が裏側に来るということであり、例えば着脱手段としてホックを用いた場合などは、図４に示されるようにシート部材３０の表面においても、着脱手段３２の非嵌合面側・背面側が現れることになる。
【００３６】
図４に示すように、シート部材３０の下端部表面には留め具３３が設けられている。具体的には雄型ホックで構成される留め具３３ａと雌型ホックで構成される留め具３３ｂを隣接して設け、両者を嵌合させることで縁部３１を立ち上げるものである。なお、表面に設けるとは、留め具３３の嵌合面や接着面が裏側に来るということであり、例えば留め具としてホックを用いた場合などは、図５に示されるようにシート部材３０の裏面においても、留め具３３の非嵌合面側・背面側が現れることになる。
【００３７】
留め具３３はシート部材３０の下端部左右両端付近に設けてある。これにより左右の両側縁部を立ち上げ、シート部材３０をトレー状に形成することが可能となるからである。
【００３８】
留め具３３は上記の如く、対をなす雄型ホックと雌型ホックに限定されるものではなく、面状ファスナや対をなす雄型スナップ・雌型スナップ等でも代用可能である。
【００３９】
シート部材３０の下端部には吸盤５０が取り付けられている。取り付け方法としてはシート部材３０に直接取り付けてもよいし、図４，図５に示されるように紐４０を介して取り付けてもよい。紐４０の先端部とシート部材３０裏面には、一対の雄型ホック４１と雌型ホック４２が設けられており、吸盤５０に設けた環状部材５１に紐４０を通し、雄型ホック４１と雌型ホック４２を嵌合することで吸盤５０とシート部材３０を連結するものである。
【符号の説明】
【００４０】
１０・・エプロン
２０・・エプロン本体
２１・・着脱部
２２・・雄型ホック
２３・・雌型ホック
２４・・着脱手段
２５・・裏側生地
２６・・ポケット部
３０・・シート部材
３１・・縁部
３２・・着脱手段
３３・・留め具
４０・・紐
４１・・雄型ホック
４２・・雌型ホック
５０・・吸盤
５１・・環状部材
【図１】
0003180192.tif 000003
【図２】
0003180192.tif 000004
【図３】
0003180192.tif 000005
【図４】
0003180192.tif 000006
【図５】
0003180192.tif 000007
【図６】
0003180192.tif 000008
【図７】
0003180192.tif 000009